(57)【特許請求の範囲】
【請求項１】
レゾルバステータ(2)の各磁極歯(20)に輪状絶縁キャップ(21、22)を介してステータコイル(1)を巻回し、前記各磁極歯(20)に巻回された前記ステータコイル(1)に液状又は溶融状の樹脂材料(10)を供給し、前記樹脂材料(10)の硬化により前記ステータコイル(1)を前記各磁極歯(20)に固定させてなるレゾルバステータ構造において、前記各磁極歯(20)に巻回された前記ステータコイル(1)を固定する前記樹脂材料(10)の第１硬度に対して、前記各磁極歯(20)間を渡るための前記ステータコイル(1)の渡り線(23)を固定する渡り線用樹脂材料(10A)の第２硬度を低くしたことを特徴とするレゾルバステータ構造。
【請求項２】
前記樹脂材料(10)は、エポキシ樹脂よりなり、前記渡り線用樹脂材料(10A)はシリコーン樹脂よりなることを特徴とする請求項１記載のレゾルバステータ構造。
【請求項３】
前記輪状絶縁キャップ(21)の周縁部(25)に設けられた複数の端子(4)に前記ステータコイル(1)の端線(3)を巻付けて巻付け接続部(5)を形成し、前記巻付け接続部(5)に半田付け(6)又はヒュージングで前記ステータコイル(1)と端子(4)とを一体状に接続し、前記巻付け接続部(5)に巻付けられた前記端線(3)のうち、一部分が前記半田付け(6)又はヒュージングによって前記端子(4)と一体状に接続されていない自由端線(30)であることを特徴とする請求項１又は２記載のレゾルバステータ構造。
【請求項４】
前記自由端線(30)は、前記端子(4)を少なくとも１回巻回していることを特徴とする請求項３記載のレゾルバステータ構造。
【請求項５】
前記自由端線(30)は、前記端子(4)を少なくとも複数回巻回していることを特徴とする請求項３記載のレゾルバステータ構造。
【請求項６】
前記自由端線(30)は、スプリング及びたるみ作用を有していることを特徴とする請求項３ないし５の何れかに記載のレゾルバステータ構造。
【発明の詳細な説明】
【０００１】
【発明の属する技術分野】
本発明は、レゾルバステータ構造に関し、特に、磁極歯に巻回したステータコイルを固定する樹脂材料の第１硬度に対して、渡り線を固定する渡り線用樹脂材料の第２硬度を低くし、使用温度の変化に対する渡り線の断線を防止し、レゾルバの信頼性の向上を得るための新規な改良に関する。
【０００２】
【従来の技術】
従来、用いられていたこの種のレゾルバステータ構造としては、一般に、レゾルバステータの各磁極歯に巻回されたステータコイル及びその渡り線は、エポキシ樹脂を用いたワニス剤を塗布して含浸させ、乾燥させて硬化させることにより、ステータコイル及びその渡り線をレゾルバステータに固定させていた。
また、端子に接続されたステータコイルは、端子全体を溶融樹脂で覆って硬化させていた。
【０００３】
【発明が解決しようとする課題】
従来のレゾルバステータ構造は、以上のように構成されていたため、次のような課題が存在していた。
すなわち、渡り線を含むステータコイルが硬度の高いエポキシ樹脂を用いたワニス剤によって含浸処理されていたため、高温と低温を繰り返すような条件下の用途の場合、高温における組成変化と温度差による伸縮からクラックが発生し、このクラックによってステータコイルのうち、特に、レゾルバステータから浮いた状態の渡り線が断線となっていた。
また、製造時においても、このワニス剤の硬化には、高温によるキュアが必要であり、温度槽が不可欠で、その温度管理等に多大のコストを必要としていた。
また、端子全体を樹脂で覆った構造とすると、樹脂部分からステータコイルが直線状に露出しているのみで、この露出しているステータコイルが振動又は伸縮等となった場合に、このステータコイルの根元が破断することがあり、断線の原因となっていた。
【０００４】
本発明は、以上のような課題を解決するためになされたもので、特に、磁極歯に巻回したステータコイルを固定する樹脂材料の第１硬度に対して、渡り線を固定する渡り線用樹脂材料の第２硬度を低くし、使用温度の変化に対する渡り線の断線を防止し、レゾルバの信頼性の向上を得るようにしたレゾルバステータ構造を提供することを目的とする。
【０００５】
【課題を解決するための手段】
本発明によるレゾルバステータ構造は、レゾルバステータの各磁極歯に輪状絶縁キャップを介してステータコイルを巻回し、前記各磁極歯に巻回された前記ステータコイルに液状又は溶融状の樹脂材料を供給し、前記樹脂材料の硬化により前記ステータコイルを前記各磁極歯に固定させてなるレゾルバステータ構造において、前記各磁極歯に巻回された前記ステータコイルを固定する前記樹脂材料の第１硬度に対して、前記各磁極歯間を渡るための前記ステータコイルの渡り線を固定する渡り線用樹脂材料の第２硬度を低くした構成であり、また、前記樹脂材料は、エポキシ樹脂よりなり、前記渡り線用樹脂材料はシリコーン樹脂よりなる構成であり、また、前記輪状絶縁キャップの周縁部に設けられた複数の端子に前記ステータコイルの端線を巻付けて巻付け接続部を形成し、前記巻付け接続部に半田付け又はヒュージングで前記ステータコイルと端子とを一体状に接続し、前記巻付け接続部に巻付けられた前記端線のうち、一部分が前記半田付け又はヒュージングによって前記端子と一体状に接続されていない自由端線である構成であり、また、前記自由端線は、前記端子を少なくとも１回巻回している構成であり、また、前記自由端線は、前記端子を少なくとも複数回巻回している構成であり、また、前記自由端線は、スプリング及びたるみ作用を有している構成である。
【０００６】
【発明の実施の形態】
以下、図面と共に本発明によるレゾルバステータ構造の好適な実施の形態について説明する。
図１において符号１で示されるものはロータ１Ａが内側に配設されていると共に鉄芯で形成されたレゾルバステータ２の磁極歯２０に１対の輪状絶縁キャップ２１、２２を介して巻回して設けられたステータコイルであり、このステータコイル１は渡り線２３を介して各磁極歯２０に直列状に接続されている。
【０００７】
前記レゾルバステータ２の周縁２４の一部には、前記各輪状絶縁キャップ２１、２２の中の一方の輪状絶縁キャップ２１の一部に一体に半径方向に突出して形成された周縁部２５が位置しており、この周縁部２５には、端子４が植立して設けられている。
前記端子４は、図４のように基部２６と一体で、端子４と基部２６とでＬ字型の形状をなし、この基部２６にはリード線２７が接続されていると共に、前記端子４は前記周縁部２５の孔（図示せず）を貫通して外方へ突出して配設されている。
【０００８】
前記レゾルバステータ２の各磁極歯２０のうち、前記ステータコイル１が多数回巻回されている第１部分Ａ、すなわち、図１で示す径方向に所定の距離を有する部分は、従来と同様にエポキシからなる硬度が高い樹脂材料１０が液状又は溶融状でポッティング処理等で塗布されて固化されている。
また、前記渡り線２３は、前記第１部分Ａの外側に位置し、この渡り線２３は、第２部分Ｂとして示される径方向に所定の距離を有する部分が輪状にポッティング処理等で形成された渡り線用樹脂材料１０Ａによって樹脂モールドで固定されている。
前記渡り線用樹脂材料１０Ａの第２硬度は、前記樹脂材料１０のエポキシ樹脂等の第１硬度に対して十分に硬度が低いシリコーン樹脂等から構成され、レゾルバの使用条件が大きく上下に変動した場合においても硬化した渡り線用樹脂材料１０Ａにはクラック等の変形が発生せず、渡り線２３の断線が発生しないように構成されている。
【０００９】
前記渡り線用樹脂材料１０Ａは、前記端子４が位置する前記周縁部２５に延設されている。
次に、図３から図８は、前記端子４にステータコイル１を巻回して半田付け６又はヒュージングによってステータコイル１を端子４に一体状に固定する形態を示している。
前記ステータコイル１の各磁極歯２０を巻回した後の終端近くの部分である端線３（図６で示される）は、図７で示されるように、端子４の外周に複数回巻き付けられ（当業者ではからげると言う）て端子４と端線３とによって巻付け接続部５が形成されている。
【００１０】
前記巻付け接続部５には、従来のように、この巻付け接続部５全体すなわち端子４全体を半田付け６等で一体化するのではなく、図８で示されるように、端子４に巻付けられた端線３の一部分である下部分の複数巻きを残して従来と同様に半田付け６（又は前記ヒュージング）によって端線３と端子４とを一体状に接続して一体化し、残りの部分は端子４とは一体化しない独立して作動可能な自由端線３０が形成されている。
【００１１】
前記自由端線３０は、端子４の外周を複数回巻回しているため、スプリングと同様の作用を有しており、ステータコイル１が熱による膨張によって矢印Ａの方向に伸縮した場合、又は、外部からの振動によって前述の矢印Ａの方向の振動及びこれと直交する矢印Ｂの方向の振動を受けた場合においても、この自由端線３０のスプリング及びたるみ作用によってその殆んどを吸収することができ、端線３の破断等の断線を防止することができる。
【００１２】
尚、前述の自由端線３０は、端子４に複数回巻回された構成の場合について述べたが、例えば、複数回の巻回ではなく、最小限として少なくとも１回巻回、又は１回以下の３００°、２５０°等の曲折形状のみ、２回巻回等としても前述のスプリング作用を得ることができるものである。
【００１３】
【発明の効果】
本発明によるレゾルバステータ構造は、以上のように構成されているため、次のような効果を得ることができる。
すなわち、レゾルバステータの磁極歯に巻回したステータコイルを含浸固定した樹脂材料よりも低い硬度のシリコーン樹脂等よりなる渡り線用樹脂材料によって渡り線を磁極歯の根元側に固定しているため、作用時の温度条件が上下に大きく変動する場合でも、渡り線用樹脂材料にはクラック等が発生せず、渡り線の断線等を防止してレゾルバの信頼性を向上させることができる。
また、輪状絶縁キャップに設けられた端子に巻付けられたステータコイルの端線の一部が端子に対して非固定状態でスプリングの作用を有しているため、熱膨張及び振動等による変形を吸収することができ、断線をなくし、信頼性の向上を得ることができる。
【図面の簡単な説明】
【図１】本発明によるレゾルバステータ構造を示す平面図である。
【図２】図１の断面図である。
【図３】図１のレゾルバステータの端子とステータコイルを接続した状態を示す平面図である。
【図４】図３の断面図である。
【図５】図４の要部を示す拡大図である。
【図６】図３の端線を示す斜視図である。
【図７】図３の巻付け後の端子を示す拡大斜視図である。
【図８】図７の端子のステータコイルを半田付けした状態を示す斜視図である。
【符号の説明】
１    ステータコイル
２    レゾルバステータ
３    端線
４    端子
５    巻付け接続部
６    半田付け
１０    樹脂材料
２０    磁極歯
２１、２２    輪状絶縁キャップ
２５    周縁部
３０    自由端線
Ａ    第１部分
Ｂ    第２部分
１０Ａ    渡り線用樹脂材料
２３    渡り線
【図１】
0004555912.tif 000002
【図２】
0004555912.tif 000003
【図３】
0004555912.tif 000004
【図４】
0004555912.tif 000005
【図５】
0004555912.tif 000006
【図６】
0004555912.tif 000007
【図７】
0004555912.tif 000008
【図８】
0004555912.tif 000009